(57)【要約】【課題】  従来の超音波美容器の超音波ヘッドは、平面状接触面をトリートメント肌面に対して超音波振動させながら摺動させるだけなので、超音波ヘッドからのマイクロマッサージ効果しかなかった。【解決手段】  把持部１１を有する器体ケース１の上部に関節部材２を上下首振り自在に枢支し、該関節部材２の先部にローラー部材３を転動自在に取付け、該ローラー部材３に超音波発生器６で発生させた超音波を出力させる超音波振動子７を固着させていることにより、ローラー部材３が超音波ヘッドとなるとともに肌面を転圧する機能を有し、超音波振動によるマイクロマッサージ作用とローラー部材転動による転圧マッサージ作用の相乗効果が得られ、さらにローラー部材３の向きを関節部材２で変更できるので操作性を良好にし得る。【選択図】  図２
2006034651.tif 000002
【特許請求の範囲】
【請求項１】
把持部（１１）を有する器体ケース（１）の上部に関節部材（２）を上下首振り自在に枢支している一方、該関節部材（２）の先部にローラー部材（３）を転動自在に取付けているとともに、該ローラー部材（３）に超音波発生器（６）で発生させた超音波を出力させる超音波振動子（７）を固着させていることを特徴とする超音波美容器。
【請求項２】
請求項１において、超音波振動子（７）は、ローラー部材（３）の軸線方向の端面（３７）に取付けていることを特徴とする超音波美容器。
【請求項３】
請求項１又は２において、ローラー部材（３）の外周面に銀製の筒状カバー体（４）を被覆していることを特徴とする超音波美容器。
【発明の詳細な説明】
【技術分野】
【０００１】
本願発明は、超音波による振動作用によって肌（特に顔肌）の美容を行えるようにした超音波美容器に関するものである。
【背景技術】
【０００２】
この種の超音波美容器は、超音波発生器で発生させた超音波を超音波ヘッドに伝達し、該超音波ヘッドを肌面に当てることでマイクロマッサージ効果を発生させるものである。即ち、肌に超音波振動を与えると、肌表層の血行を促進させて細胞を活性化させるとともに、肌の皺やタルミを除去する等の効果がある。
【０００３】
ところで、近年、超音波美容器として、家庭で手軽に使用できるハンディタイプのものが多数市販されている。この種の公知の超音波美容器として、例えば図６に示すものがある。尚、この図６の超音波美容器は、特開２０００−２３３００５号公報（特許文献１）に示されるものである。
【０００４】
この図６の超音波美容器は、把持部１１１を有する器体ケース１０１の先端部に超音波ヘッド１０３を取付けている。この超音波ヘッド１０３の先端面の内側には、超音波振動子１０７が固着されており、超音波発生器（図示省略）で発生させた超音波を超音波振動子１０７に伝達して超音波ヘッド１０３を超音波振動させ得るようになっている。
【０００５】
そして、この超音波美容器を使用するには、トリートメントすべき肌面にクレンジングクリームを塗布し、超音波ヘッド１０３を超音波振動させながらヘッド面１０３ａをトリートメント部位に軽く押し当て、該ヘッド面１０３ａを肌面に摺動させながら順次トリートメントしていく。
【０００６】
【特許文献１】特開２０００−２３３００５号公報
【発明の開示】
【発明が解決しようとする課題】
【０００７】
ところが、上記した公知の超音波美容器では、超音波ヘッド１０３を肌面に摺動させてトリートメントを行うが、単に超音波ヘッド１０３からの超音波振動による効果しか得られない。又、トリートメント時に超音波ヘッド面１０３ａを肌面に押付けて摺動させると、該超音波ヘッド面と肌面との間に摩擦力が発生して、肌面が超音波ヘッド面の移動方向に引っ張られて不快感を感じることがあるという問題もあった。
【０００８】
本願発明は、上記した公知の超音波美容器の問題点に鑑み、超音波ヘッドに肌面に対して転動するローラー部材を使用することで、超音波ヘッド（ローラー部材）からの超音波振動によるマイクロマッサージとローラー部材の転動による転圧マッサージとの相乗効果が得られるようにするとともに、器体ケース（把持部）に対してローラー部材の姿勢を変更させ得るようにすることで、把持部の姿勢を一定にした状態でもローラー部材の転動方向を自由に変更させ得るようにした超音波美容器を提供することを目的としている。
【課題を解決するための手段】
【０００９】
本願発明は、上記課題を解決するための手段として次の構成を有している。尚、本願発明は、超音波振動により肌の美容を行うための超音波美容器を対象にしている。
【００１０】
本願請求項１の発明
本願請求項１の発明の超音波美容器は、把持部を有する器体ケースの上部に関節部材を上下首振り自在に枢支している一方、該関節部材の先部にローラー部材を転動自在に取付けているとともに、該ローラー部材に超音波発生器で発生させた超音波を出力させる超音波振動子を固着して構成している。
【００１１】
この請求項１の超音波美容器は、ハンディタイプのもので、器体ケースの把持部を握って使用される。電源や超音波発生器は、器体ケース外のものを使用してもよい（電気コードで接続される）が、器体ケース内に内蔵したものでもよい。尚、電源及び超音波発生器を器体ケース内に内蔵したものでは、電源として電池が使用されるが、該電池は充電式のものを使用することができる。
【００１２】
関節部材は、器体ケースの上部において、器体ケースの把持部に対して角度略９０°方向に向く姿勢と角度略１８０°方向に向く姿勢との間の角度約９０°の範囲で上下首振り自在に枢支されている。又、関節部材は、上記首振り範囲において、無段階位置（任意の角度姿勢）でそれぞれ固定し得るようにしてもよく、あるいは複数位置（例えば、把持部に対して角度９０°の位置、角度１３５°の位置、角度１８０°の位置の３位置）で段階的に固定し得るようにしてもよい。この関節部材の内部は、リード線を挿通させるために中空にしたものが好ましい。又、器体ケースの上部にも、リード線挿通用の穴を設けるとよい。
【００１３】
ローラー部材は、中空の筒状体が使用されている。該ローラー部材の実質接触部は、外径が１５〜３０mm、長さが２５〜３５mm程度のものが適当である。そして、このローラー部材は、関節部材の先部に転動自在に取付けているが、該関節部材の先部とローラー部材の基部との間にはベアリングを介在させることが好ましい。
【００１４】
ローラー部材には超音波振動子が固着されていて、このローラー部材が超音波ヘッドとして機能する。
【００１５】
この超音波振動子と超音波発生器とは、リード線で接続されているが、このリード線は、超音波発生器から器体ケース内を通し、器体ケース上部の穴から関節部材内の中空部を通してローラー部材側の超音波振動子に接続されている。尚、器体ケース外面の適所には、超音波振動子への給電をＯＮ、ＯＦＦするスイッチを設けるとよい。
【００１６】
ところで、超音波振動子はローラー部材とともに転動するので、該リード線が過度に捩れるのを防止するための工夫が必要である。そのための手段としては、ローラー部材の回転範囲を１回転弱（例えば角度３４０〜３５０°の範囲）に制限したり、あるいはローラー部材の基部と関節部材の先部との間に、各側のリード線の端子同士を摺動接続するロータリー接点を設けたりすることができる。
【００１７】
ところで、超音波美容器で例えば顔肌をトリートメントする場合、器体ケースの把持部は縦向き姿勢で把持すると、ローラー部材の転動操作がし易い。他方、顔肌を超音波美容器でトリートメントするのに、トリートメント部位が頬部分のようにローラー部材を上下に移動させる方が作業性がよい場合や、トリートメント部位が額部分のようにローラー部材を左右に移動させる方が作業性がよい場合がある。
【００１８】
そこで、この請求項１の超音波美容器を使用する際には、顔肌のトリートメントすべき部位に応じて、関節部材を器体ケースに対して所望の角度に調節して、ローラー部材の向きを所望の方向に向ける。例えば、頬部分をトリートメントする場合には、ローラー部材の軸心が器体ケースの把持部に対して角度略９０°の方向に向く姿勢（水平向き姿勢）で固定し、額部分をトリートメントする場合には、ローラー部材の軸心が器体ケースの把持部に対して角度略１８０°の方向に向く姿勢（上向き姿勢）で固定する。
【００１９】
この超音波美容器を使用してトリートメントするには、該トリートメント部位にクレンジングクリームを塗布しておく。そして、スイッチをＯＮにすると超音波発生器が作動し、該超音波発生器で発生した超音波が超音波振動子に伝達されて、ローラー部材を超音波振動させる。そして、器体ケースの把持部を縦向き姿勢で握ってローラー部材をトリートメントすべき部位の肌面に軽く押し当てながら、器体ケースをローラー部材の向きとは直交方向（ローラー部材が水平向きの場合は上下方向、ローラー部材が上向きの場合は左右方向）に移動させると、ローラー部材の外周面と肌面との摩擦力により、該ローラー部材が肌面上を転動しながら移動するようになる。このとき、ローラー部材全体が超音波振動しており、且つローラー部材が肌面上を転動しながら移動するので、トリートメント部位に対して超音波振動によるマイクロマッサージ作用とローラー部材の転動による転圧マッサージ作用とを同時に付与できる。又、ローラー部材が肌面上を転動するので、超音波ヘッドを肌面に摺動させる場合のような肌面を引っ張る作用はほとんど発生しない。
【００２０】
又、トリートメント部位を変更（例えば、頬部分から額部分に変更）するときには、関節部材を器体ケースに対して所望の角度（例えば把持部に対して角度１８０°）に変更し固定する。そして、上記同様に、スイッチをＯＮにし、把持部を縦向き姿勢で握ってローラー部材を肌面に軽く押し当てながら、器体ケースをローラー部材の向きとは直交方向に移動させる。
【００２１】
本願請求項２の発明
本願請求項２の発明は、上記請求項１の超音波美容器において、超音波振動子は、ローラー部材の軸線方向の端面（基部寄り端面）に取付けている。この場合、超音波振動子は、ローラー部材の外径とほぼ同径かそれよりやや小さい程度の円盤状のものを使用するとよい。
【００２２】
ところで、この種の超音波振動子は、その厚さ方向に振動する。他方、ローラー部材は、振動効率の面でその軸線方向に振動させることが好ましい。そして、この請求項２のように、超音波振動子をローラー部材の軸線方向の端面に固着させると、該超音波振動子を作動させたときにローラー部材が軸線方向に振動するので、該ローラー部材全体を超音波振動させることができる。尚、超音波振動子をローラー部材の周面部内面に取付けた場合には、ローラー部材の周面の局部位置しか超音波振動させることができない。
【００２３】
本願請求項３の発明
本願請求項３の発明は、上記請求項１又は２の超音波美容器において、ローラー部材の外周面に銀製の筒状カバー体を被覆している。
【００２４】
銀材料の表面には、イオン化された銀イオンが遊離するが、この銀イオンには抗菌作用があることが知られている。
【００２５】
そして、この請求項２の超音波美容器では、ローラー部材をトリートメント肌面上に転動させるが、そのときローラー部材外周面を被覆している銀製の筒状カバー体の外周面が順次トリートメント肌面上を転動していく。このように、銀製の筒状カバー体の外周面が肌面に接触すると、該肌面に対して銀イオンによる抗菌作用を付与できる。
【発明の効果】
【００２６】
本願請求項１の発明の効果
本願請求項１の発明の超音波美容器では、超音波ヘッドとして転動自在なローラー部材を使用しているので、トリートメント部位に対して超音波振動によるマイクロマッサージ作用とローラー部材の転動による転圧マッサージ作用とを同時に付与でき、それらの作用の相乗効果が期待できる。又、ローラー部材は関節部材を介して器体ケースの把持部に対する角度を可変にしているので、器体ケースの把持部を操作がし易い縦向き姿勢で把持する場合であっても、ローラー部材をトリートメント部位（例えば頬や額）に応じて所望の方向に向けて使用することができ、作業性が良好となるという効果がある。
【００２７】
本願請求項２の発明の効果
本願請求項２の発明は、上記請求項１の超音波美容器において、超音波振動子をローラー部材の軸線方向の端面に取付けているので、該超音波振動子を作動させたときに、ローラー部材全体を軸線方向に超音波振動させることができる。
【００２８】
従って、この請求項２の発明では、上記請求項１の効果に加えて、ローラー部材全体を効率よく超音波振動させることができるという効果がある。
【００２９】
本願請求項３の発明の効果
本願請求項３の発明は、上記請求項１又は２の超音波美容器において、ローラー部材の外周面に銀製の筒状カバー体を被覆しているので、トリートメント時に銀製の筒状カバー体の外周面が肌面上を転動するようになる。尚、この銀製の筒状カバー体の表面には、抗菌作用を有する銀イオンが遊離している。
【００３０】
従って、この請求項３の超音波美容器では、上記請求項１の効果に加えて、トリートメント時に銀製の筒状カバー体の外周面が肌面に接触するので、銀イオンによる抗菌作用によりトリートメント部位の肌を清潔にできるという効果がある。
【実施例】
【００３１】
図１〜図５を参照して本願実施例の超音波美容器を説明すると、図１〜図３には第１実施例、図４には第２実施例の超音波美容器が示されている。又、図５には、第１実施例及び第２実施例の各超音波美容器の使用方法を示している。
【００３２】
図１〜図３に示す第１実施例の超音波美容器は、把持部１１を有する器体ケース１と、該器体ケース１の上部に上下首振り自在に枢支した関節部材２と、該関節部材２の先部に転動自在に取付けた超音波ヘッドとなるローラー部材３と、該ローラー部材３の外周面を被覆する銀製の筒状カバー体４と、超音波を発生させる超音波発生器６と、該超音波発生器６を作動させる電源（電池）５と、ローラー部材３を超音波振動させる超音波振動子７とを有している。
【００３３】
器体ケース１の把持部１１は、片手で握れる程度の太さ（例えば直径が３０〜４０mm）に形成されている。この把持部１１内には、図２に示すように電源となる電池５と超音波発生器６が収容されている。電池５と超音波発生器６とは、リード線８，８で接続されている。又、把持部１１の外面には、超音波発生器６をＯＮ、ＯＦＦするためのスイッチ１０が設けられている。尚、他の実施例では、電池５及び超音波発生器６は、器体ケース１外に別置きしたものでもよい。又、電池５は、充電式のものを使用することができる。
【００３４】
器体ケース１の上部には、関節部材２を枢支するための２つのブラケット１２，１２を上向きに突出させている。又、両ブラケット１２，１２間の底部には、後述するようにリード線８，８を挿通させるための穴１３（図２、図３参照）を形成している。
【００３５】
関節部材２は、先部側にローラー部材３の軸受となる筒部２１を有し、基部側に枢支用の１つのブラケット２２を有している。又、この関節部材２の内部は、筒部２１及びブラケット２２部分を含めて中空にしている。さらに、ブラケット２２部分の下面部分には、リード線挿通用の開放部２３（図２、図３参照）を設けている。
【００３６】
そして、関節部材２側のブラケット２２を器体ケース上部の両ブラケット１２，１２間に位置させた状態で、各側のブラケット１２，１２，２２に軸２０を挿通させることにより、関節部材２を上下に首振り自在に枢支している。関節部材２の上下首振り範囲は、図１及び図２に示すように、器体ケース１の把持部１１に対して角度略９０°方向に向く姿勢（実線図示する水平向き姿勢）と角度略１８０°方向に向く姿勢（鎖線図示する上向き姿勢）との間の角度約９０°の範囲である。
【００３７】
関節部材２を枢支している軸２０は、ネジ式のものを使用し、該ネジ軸２０を緩めると関節部材２を上下に首振り可能とするとともに、該ネジ軸２０を締め込むと関節部材２のブラケット２２を器体ケース１側の両ブラケット１２，１２間で強固に固定し得るようにしている。尚、この実施例では、関節部材２を上記首振り範囲において無段階位置（任意の角度姿勢）でそれぞれ固定し得るようにしているが、他の実施例では、該関節部材２を、例えば図２に示すように、把持部１１に対して角度９０°の位置（ローラー部材が符号３の位置）、角度１３５°の位置（ローラー部材が符号３″の位置）、角度１８０°の位置（ローラー部材が符号３′の位置）の３位置で段階的に固定するようにしてもよい。
【００３８】
ローラー部材３は、この実施例では、金属製のもの（例えばステンレス鋼やチタン鋼）が使用されている。又、この実施例では、ローラー部材３として、図２〜図３に示すように比較的短小長さの基部側筒部３１と先端面が閉塞された比較的長い中空筒状体からなる先部側筒部３５とをネジ結合により合体させて構成している。即ち、基部側筒部３１の先部側には雄ネジ３２が形成され、先部側筒部３５の基部側には雌ネジ３６が形成されていて、該雄ネジ３２と雌ネジ３６とを螺合させることで、基部側筒部３１と先部側筒部３５とを一体化させている。尚、先部側筒部３５における雌ネジ３６の最奥部には、後述するように超音波振動子７の外周縁部を押し当てる段部３７が形成されている。
【００３９】
ローラー部材３は、周壁の肉厚が１〜６mm程度の範囲のものが採用可能であるが、この実施例では、該肉厚が２〜３mmのものを使用している。又、ローラー部材３の実質接触部は、外径が１５〜３０mm、長さが２５〜３５mm程度のものが適当である。又、ローラー部材３（基部側筒部３１）の基部には、関節部材２の筒部２１内に嵌挿される筒状の軸部３３が一体形成されている。
【００４０】
そして、このローラー部材３の軸部３３を関節部材２の筒部２１内に回転自在に嵌挿して、該ローラー部材３と関節部材２とを一体化させている。尚、関節部材２の筒部２１とローラー部材３の軸部３３との間にはベアリングを介在させることが好ましい。
【００４１】
ローラー部材３の基部寄り位置には、超音波振動子７が固着されているが、この実施例では、該超音波振動子７は、先部側筒部３５の雌ネジ３６最奥部の段部３７と基部側筒部３１の雄ネジ３２先端面との間で挟持固定されている。即ち、この超音波振動子７は、先部側筒部３５の雌ネジ３６部分の内径とほぼ同径の外径を有する円盤状のものが使用されており、基部側筒部３１と先部側筒部３５とをネジ結合する際に、超音波振動子７を先部側筒部３５の雌ネジ３６部分内に収容した状態で、基部側筒部３１の雄ネジ３２を該雌ネジ３６に螺合・緊締させることで、該超音波振動子７の外周縁部を表裏両側から挟圧保持させている。尚、先部側筒部３５の雌ネジ３６最奥部の段部３７は、請求項２におけるローラー部材３の軸線方向の端面に相当するものである。
【００４２】
超音波振動子７と超音波発生器６とはリード線８，８で接続されている。このリード線８，８は、超音波発生器６からスイッチ１０を介して器体ケース上部の穴１３及び関節部材２内の中空部を通して超音波振動子７に接続されているが、この超音波美容器では、超音波振動子７がローラー部材３とともに回転するので、該リード線８，８が過度に捩れないようにする工夫が必要である。
【００４３】
そして、第１実施例の超音波美容器では、リード線の過度の捩れ防止手段として、図２及び図３に示すように、ローラー部材３が関節部材２に対して１回転弱の範囲（例えば角度３４０〜３５０°の範囲）でしか回転できないように規制している。即ち、この第１実施例では、関節部材２の筒部２１内面に固定突起２４を設ける一方、基部側筒部３１の軸部３３内面に可動突起３４を設けて、ローラー部材３を関節部材２に対して回転させたときに該可動突起３４が固定突起２４の左右側面に衝合するまでの範囲（例えば角度３４０〜３５０°の範囲）でのみ可逆的に回転させ得るようにしている。この場合、トリートメント時には、ローラー部材３が回転可能な範囲で器体ケース１を往復移動させるが、ローラー部材３の外径が例えば２５mmのものでは、該ローラー部材３を１方向当たり７４〜７６mmの長さを転動させ得る。このように、ローラー部材３が１回転弱の範囲でのみ回転し得るようにしたものでは、超音波振動子７に接続している各リード線８，８が過度に捩れることがない。
【００４４】
ローラー部材３の外周面には、銀製の筒状カバー体４を被覆している。この筒状カバー体４の外周面からは、イオン化された銀イオンが遊離するが、この銀イオンには抗菌作用があることが知られている。尚、この銀製の筒状カバー体４は、図４の第２実施例でも採用されている。
【００４５】
図４の第２実施例の超音波美容器は、リード線の捩れ防止手段の変形例を示しているが、この第２実施例では、ローラー部材３の基部と関節部材２の先部との間にロータリー接点９を設けている。この図４の第２実施例の超音波美容器では、ロータリー接点９部分で各側のリード線８，８の端子同士が摺動接続しているので、ローラー部材３が同一方向に連続回転しても該リード線８，８が捩れることがない。尚、この第２実施例の超音波美容器のその他の構成は、第１実施例のものと同様である。
【００４６】
上記各実施例の超音波美容器は、スイッチ１０をＯＮにすると、超音波発生器６が作動し、該超音波発生器６で発生した超音波が超音波振動子７に伝達されて、ローラー部材３（筒状カバー体４を含む）が超音波振動する。このとき、超音波振動子７をローラー部材３の軸線方向の端面（段部３７）に取付けていると、ローラー部材３全体を軸線方向に超音波振動させることができ、ローラー部材３の全周面から振動作用が発生する。尚、上記実施例のように、ローラー部材３が金属製で、周壁の肉厚が２〜３mm程度のものを使用した場合には、ローラー部材３に対して３〜２ＭＨZの超音波振動を発生させることができる。又、超音波振動子７の出力、ローラー部材３の周壁の肉厚等は、所望する周波数に応じて適宜設定することができる。
【００４７】
ところで、超音波美容器で顔肌をトリートメントする場合に、図５に示すように、器体ケース１の把持部１１を縦向き姿勢で把持すると、ローラー部材３の転動操作がし易くなる。他方、顔肌を超音波美容器でトリートメントするのに、トリートメント部位が頬部分Ｆａのようにローラー部材３を上下に移動させる方が作業性がよい場合や、トリートメント部位が額部分Ｆｂのようにローラー部材を左右に移動させる方が作業性がよい場合がある。
【００４８】
そこで、上記各実施例の超音波美容器を使用する際には、顔肌のトリートメントすべき部位に応じて、関節部材２を器体ケース１に対して所望の角度に調節固定し、ローラー部材３の向きを所望の方向に向ける。例えば、頬部分Ｆａをトリートメントする場合には、図５に実線図示するように、ローラー部材３の軸心が器体ケース１の把持部１１に対して角度略９０°の方向に向く姿勢（水平向き姿勢）で関節部材２を固定し、額部分Ｆｂをトリートメントする場合には、図５に鎖線図示するように、ローラー部材３′の軸心が器体ケース１′の把持部１１′に対して角度略１８０°の方向に向く姿勢（上向き姿勢）で関節部材２′を固定する。
【００４９】
この超音波美容器を使用して顔肌をトリートメントするには、該トリートメント部位にクレンジングクリームを塗布しておく。そして、例えば頬部分Ｆａをトリートメントする場合には、図５に実線図示するように、ローラー部材３を水平向き姿勢で固定した状態で、スイッチ１０をＯＮにして器体ケース１の把持部１１を縦向き姿勢で握り、ローラー部材３を肌面（頬部分Ｆａ）に軽く押し当てながら器体ケース１を上下方向に移動させると、ローラー部材３が水平姿勢で肌面上を転動しながら移動するようになる。尚、図２に示す第１実施例の超音波美容器では、ローラー部材３が１回転弱しか回転しないので、ローラー部材が回転停止した時点で器体ケース１を逆向きに移動させ、順次器体ケース１を反復移動させる。このトリートメント時には、ローラー部材３全体が超音波振動しており、且つローラー部材３が肌面上を転動しながら移動するので、トリートメント部位に対して超音波振動によるマイクロマッサージ作用とローラー部材３の転動による転圧マッサージ作用とを同時に付与できる。又、トリートメント部位を変更（例えば、頬部分Ｆａから額部分Ｆｂに変更）するときには、図５に鎖線図示するように、ローラー部材３′を上向き姿勢で固定した状態で、上記と同様にスイッチ１０をＯＮにして器体ケース１′の把持部１１′を縦向き姿勢で握り、ローラー部材３′を肌面（額部分Ｆｂ）に軽く押し当てながら、器体ケース１′を左右方向に移動させる。尚、ローラー部材３は、図２又は図４に符号３″で示すように水平向きと上向きの中間に向けた姿勢で使用することもできる。
【００５０】
このように、ローラー部材３の向きを変更させ得るようにすると、器体ケース１の把持部１１を縦向き姿勢（操作し易い姿勢）に維持させた状態で、トリートメント部位に応じてローラー部材３を上下方向に転動させたり左右方向に転動させたりすることができるので、超音波美容器の操作性が良好となる。
【００５１】
又、この超音波美容器では、ローラー部材３の外周面を銀製の筒状カバー体４で被覆しているので、ローラー部材３をトリートメント肌面上に転動させると、銀製筒状カバー体４の外周面が順次トリートメント肌面上を転動していき、該銀製筒状カバー体４の外面の銀イオンが肌面に接触して該銀イオンによる抗菌作用が生じ、肌面を衛生面でも良好にトリートメントできるという機能がある。
【図面の簡単な説明】
【００５２】
【図１】本願第１実施例の超音波美容器の斜視図である。
【図２】図１の超音波美容器のII−II断面図である。
【図３】図２の超音波美容器の一部分解断面図である。
【図４】本願第２実施例の超音波美容器の断面図（図２相当図）である。
【図５】第１実施例及び第２実施例の各超音波美容器の使用方法説明図である。
【図６】公知の超音波美容器の説明図である。
【符号の説明】
【００５３】
１は器体ケース、２は関節部材、３はローラー部材、４は銀製の筒状カバー体、５は電池、６は超音波発生器、７は超音波振動子、１１は把持部である。
【図１】
2006034651.tif 000003
【図２】
2006034651.tif 000004
【図３】
2006034651.tif 000005
【図４】
2006034651.tif 000006
【図５】
2006034651.tif 000007
【図６】
2006034651.tif 000008